(57)【要約】【課題】            隔壁から離れる方向に換気流を吹出すことができる圧力損失の少ない吹出し端末部品を得る。【解決手段】        室内を区切る隔壁に設けられ、換気装置からの換気流を室内へ吹出す吹出し端末部品について、換気装置に接続するダクト接続口１の隔壁に沿って開口する室内側開口部３の周囲を外方に張出すフランジ４で囲み、室内側開口部３に向き合う、平面積がその室内側開口部３と略同じの化粧パネル６を設け、フランジ４と化粧パネル６の間から換気流を室内へ吹出す構成とし、フランジ４の室内側開口部３近くに、換気流を隔壁から離れる方向に案内する斜面構成の吹出しガイド部１０を設ける。【選択図】          図１
2008249181.tif 000002
【特許請求の範囲】
【請求項１】
室内を区切る隔壁に設けられ、換気装置からの換気流を室内へ吹出す吹出し端末部品であって、前記換気装置に接続するダクト接続口の前記隔壁に沿って開口する室内側開口部の周囲を外方に張出すフランジで囲み、前記室内側開口部に向き合う、平面積がその室内側開口部と略同じの化粧パネルを設け、前記フランジと前記化粧パネルの間から換気流を室内へ吹出す構成とし、前記フランジの前記室内側開口部近くに、換気流を前記隔壁から離れる方向に案内する斜面構成の吹出しガイド部を設けた吹出し端末部品。
【請求項２】
請求項１に記載の吹出し端末部品であって、化粧パネルの背面に、フランジの吹出しガイド部に換気流を導くガイド部を設けた吹出し端末部品。
【請求項３】
請求項１又は請求項２のいずれかに記載の吹出し端末部品であって、吹出しガイド部によって、フランジと化粧パネルの間から換気流を１０度〜２５度隔壁から離して吹出すようにした吹出し端末部品。
【請求項４】
請求項１〜請求項３までのいずれかに記載の吹出し端末部品であって、フランジと化粧パネルの間に、室内側開口部の外側を部分的に塞ぐ着脱可能の遮蔽板を設けた吹出し端末部品。
【発明の詳細な説明】
【技術分野】
【０００１】
本発明は、室内を区切る天井や壁等の隔壁に設けられ、換気装置からの換気流を室内へ吹出す吹出し端末部品に関するものである。
【背景技術】
【０００２】
天井や壁等の隔壁に設けられ、換気装置からの換気流を室内へ吹出す吹出し端末部品は、吹出し気流が居住者に直接当たらないように、隔壁に沿う方向に吹出すようにしたものが多い。この場合、気流を隔壁に沿わせると、誘引流によって隔壁が汚れることがあるため、隔壁から気流をある程度離して吹出すようにしている。また、気流の吹出し方向に家具やその他の障害物がある場合、吹出し方向を調整できるようにしたものもある（例えば、特許文献１，特許文献２参照）。
【０００３】
【特許文献１】特開２００５−２６５２６６号公報
【特許文献２】実用新案登録第３１２０２７８号公報
【発明の開示】
【発明が解決しようとする課題】
【０００４】
特許文献１に示されているような吹出し端末部品では、室内側開口の外周に天井に沿って延出させたフランジと、室内側開口に向合うパネル部との間から略半径方向に気流を吹出すようにしている。そして、パネル部背面の縁部とフランジの室内側端縁にそれぞれリブを設け、食違い状に並ぶこれらリブによって、気流を曲げ、天井に対して斜め下向きに吹出すようにしている。しかしながら、二段のリブに気流を当てて方向を変えるため、リブによる圧力損失が大きく、吹出し端末部品に換気流を送る換気装置も能力の大きなものが必要である。また、気流の吹出し方向を調整できるようにしたものでは、シンメトリーデザインにし難く、室内の美観を損なう意匠となり易い。特に、特許文献２に示されているようなものでは、回動する吹出口カバーにより室内側への張出しが大きくなり、室内の美観を損ない勝ちである。
【０００５】
本発明は、上記した問題点を解決するためになされたものであり、その課題とするところは、隔壁から離れる方向に換気流を吹出すことができる圧力損失の少ない吹出し端末部品を得ることであり、室内の美観を損なうことの少ない、設置場所の制約も少ない吹出し端末部品を得ることである。
【課題を解決するための手段】
【０００６】
上記課題を解決するために本発明は、室内を区切る天井や壁等の隔壁に設けられ、換気装置からの換気流を室内へ吹出す吹出し端末部品について、換気装置に接続するダクト接続口の隔壁に沿って開口する室内側開口部の周囲を外方に張出すフランジで囲み、室内側開口部に向き合う、平面積が室内側開口部と略同じの化粧パネルを設け、フランジと化粧パネルの間から換気流を室内へ吹出す構成とし、フランジの室内側開口部近くに、換気流を隔壁から離れる方向に案内する斜面構成の吹出しガイド部を設ける手段を採用する。
【発明の効果】
【０００７】
本発明によれば、室内側開口部から吹出される換気流は、化粧パネルの背面に当たり、フランジと化粧パネルの端縁との間から、隔壁に沿う方向に向かって吹出される。フランジは化粧パネルより平面積が広く、化粧パネル端縁より外側のフランジの室内側開口部近くに換気流を隔壁から離れる方向に案内する斜面構成の吹出しガイド部があるため、換気流は居住者に直接当たらない。また、隔壁を誘引流で汚さない方向に吹出される。換気流の方向を斜面構成の吹出しガイド部で変えるので圧力損失が少なく、室内側への突出量も少なく、シンメトリーデザインも採用でき室内の美観を損なうことがない。
【発明を実施するための最良の形態】
【０００８】
本発明の吹出し端末部品は、室内を区切る天井や壁等の隔壁に設けられ、換気装置からの換気流を室内へ吹出すものである。隔壁の裏側には換気装置にダクト接続するダクト接続口が設けられ、このダクト接続口の隔壁に沿って開口する開口部に、室内側から平面方形の樹脂製の吹出しグリルが係脱可能に装着されている。吹出しグリルは、ダクト接続口の開口部に通じる室内側開口部の周囲を額縁状に囲み、外方に張出したフランジで構成されたベースパネルと、ベースパネルの室内側開口部に向き合う、平面積が室内側開口部と略同じの平板状の化粧パネルで構成されている。化粧パネルはその四隅部がベースパネルのフランジに脚部によって四箇所で支えられ、フランジと化粧パネルの間から換気流を室内へ四方向から吹出す構成である。フランジの室内側開口部近くには、換気流を隔壁から離れる方向に案内する湾曲した斜面構成の吹出しガイド部が設けられている。吹出しガイド部の外側は、結果的に隔壁に向かって傾斜する傾斜面となっている。
【０００９】
本発明によれば、ベースパネルの室内側開口部から吹出される換気流は、化粧パネルの背面に当たり、ベースパネルのフランジと化粧パネルの端縁との間から、隔壁に沿う方向に向かって四方向に吹出される。フランジは化粧パネルより平面積が広く、化粧パネル端縁より外側のフランジの室内側開口部近くに換気流を隔壁から離れる方向に案内する斜面構成の吹出しガイド部があるため、換気流は吹出しガイド部に沿って流れ、居住者に直接当たらない、また、隔壁を誘引流で汚さない方向に吹出される。換気流の方向を斜面構成の吹出しガイド部で変えるので圧力損失は少なく、吹出しグリルは平板態の方形であり、室内側への突出量も少なく、シンメトリーデザインも採用でき室内の美観を損なうことがない。
【００１０】
実施の形態１．
図１は、本実施の形態の吹出し端末部品を示す縦断面図、図２は、吹出しグリルを示す背面視の斜視図、図３は、吹出しグリルの取付け状態の断面図、図４と図５は、天井に取付けた吹出し端末部品の吹出し角度による風速分布を示す説明図、図６と図７は、それぞれ他の形態の吹出しグリルの断面図である。
【００１１】
本実施の形態の吹出し端末部品は、室内を区切る天井や壁等の隔壁に設けられ、換気装置からの換気流を室内へ吹出すものである。隔壁の裏側には換気装置にダクト接続するダクト接続口１が設けられ、このダクト接続口１の隔壁に沿って開口する開口部に、室内側から平面方形（円形でも方形以外の多角形でも構わない）の吹出しグリル２が係脱可能に装着されている（図１，図２参照）。吹出しグリル２は、ダクト接続口１の開口部に通じる室内側開口部３の周囲を額縁状に囲み、外方に張出したフランジ４で構成されたベースパネル５と、図２に示すようなベースパネル５の室内側開口部３に向き合う、平面積が室内側開口部３と略同じの平板状の化粧パネル６で構成されている。
【００１２】
化粧パネル６は平面方形（これも円形でも方形以外の多角形でも構わない）に構成され、その背面の四隅部がベースパネル５のフランジ４に脚部７によって四箇所で支えられ（図２，図３参照）、フランジ４と化粧パネル６の間から換気流を室内へ四方向から吹出す構成である。四本の脚部７には、向き合う溝８が縦に形成され、この溝８の向き合う二本を使って矩形の遮蔽板９が着脱可能に装着できるようになっている。遮蔽板９は、換気流を吹出したくない方向のフランジ４と化粧パネル６の間を塞ぐもので、必要に応じて装着される。フランジ４の室内側開口部３近くには、換気流を隔壁から離れる方向、最適には換気流を隔壁に対して１０度〜２５度傾けて吹出す湾曲した斜面構成（直線状の斜面でも良い）の吹出しガイド部１０が設けられている。吹出しガイド部１０の外側は、結果的に隔壁に向かって傾斜する傾斜面１１となっている。
【００１３】
本実施の形態によれば、ベースパネル５の室内側開口部３から吹出される換気流は、化粧パネル６の背面に当たり、ベースパネル５のフランジ４と化粧パネル６の端縁との間から、隔壁に沿う方向に向かって四方向に吹出される。フランジ４は化粧パネル６より平面積が広く、化粧パネル６端縁より外側のフランジ４の室内側開口部３近くに換気流を隔壁から離れる、１０度〜２５度傾いた方向に案内する斜面構成の吹出しガイド部１０があるため、換気流は吹出しガイド部１０に沿って流れ、居住者に直接当たらない、また、隔壁を誘引流で汚さない方向に吹出される（風速分布を比較して示す図４と図５参照）。換気流の方向を斜面構成の吹出しガイド部１０で変えるので圧力損失は少なく、吹出しグリル２は平板態であり、室内側への突出量も少なく、シンメトリーデザインも採用でき室内の美観を損なうことがない。
【００１４】
室の隅の天井等に取付ける場合、吹出し方向に壁や家具が有ると壁や家具に吹出し気流が当たり、壁や家具に汚れを付着したり、換気効率を低下させたりする。こうした場合、壁や家具のある方向の吹出しを、遮蔽板９を装着して塞ぐことで、壁や家具を汚したり、換気効率の低下を防ぐことができ、設置場所の制約が少なくなる。
【００１５】
また、図６に示すように、化粧パネル６の背面に、ベースパネル５のフランジ４の吹出しガイド部１０に換気流を導くガイド部１２を設ければ、換気流を隔壁から離れる、１０度〜２５度傾いた方向に案内する機能が円滑になる。この場合、図６のように化粧パネル６の背面端縁になだらかな山状構造態を形成するか、図７に示すように、化粧パネル６の背面を対角線状に区分し、これを端縁に向かって中央に窪んだ斜面１３に構成するかすれば良い。
【図面の簡単な説明】
【００１６】
【図１】端末部品を示す縦断面図である。（実施の形態１）
【図２】吹出しグリルを示す背面視の斜視図である。（実施の形態１）
【図３】吹出しグリルの取付け状態の断面図である。（実施の形態１）
【図４】天井に取付けた吹出し端末部品の吹出し角度による風速分布を示す説明図である。（実施の形態１）
【図５】天井に取付けた吹出し端末部品の吹出し角度による風速分布を示す説明図である。
【図６】他の形態の吹出しグリルの断面図である。（実施の形態１）
【図７】他の形態の吹出しグリルの断面図である。（実施の形態１）
【符号の説明】
【００１７】
１  ダクト接続口、  ２  吹出しグリル、  ３  室内側開口部、  ４  フランジ、  ６  化粧パネル、  ９  遮蔽板、  １０  吹出しガイド部、  １２  ガイド部。
【図１】
2008249181.tif 000003
【図２】
2008249181.tif 000004
【図３】
2008249181.tif 000005
【図４】
2008249181.tif 000006
【図５】
2008249181.tif 000007
【図６】
2008249181.tif 000008
【図７】
2008249181.tif 000009